(57)【要約】【課題】浴室の上部に設置された換気扇装置を用いるだけでは、早期に乾燥させることが困難とされていた領域の乾燥を効率良く行ない、カビなどの発生を適切に防止または抑制することが可能な浴室システムを提供する。【解決手段】浴室システムＢＳは、浴槽設置領域１ａに設置されたファン５、ならびにこのファン５を利用した吸気および送風を可能とする吸気口６０および送風口７０を有する送風システムＡを備えており、吸気口６０および送風口７０は、水平方向において互いに離間するようにして浴槽エプロン部３０に設けられており、洗い場領域１ｂの空気を吸気口６０からファン５に吸引させ、かつ送風口７０から洗い場領域１ｂへの送風が可能な構成とされている。【選択図】  図１
2018102573.tif 000002
【特許請求の範囲】
【請求項１】
浴槽設置領域、洗い場領域、およびこれらの境界壁部としての浴槽エプロン部を備えている、浴室システムであって、
前記浴槽設置領域に設置されたファン、ならびにこのファンを利用した吸気および送風を可能とする吸気口および送風口を有する送風システムを、さらに備えており、
前記吸気口および前記送風口は、水平方向において互いに離間するようにして前記浴槽エプロン部に設けられており、
前記洗い場領域の空気を前記吸気口から前記ファンに吸引させ、かつ前記送風口から前記洗い場領域への送風が可能な構成とされていることを特徴とする、浴室システム。
【請求項２】
請求項１に記載の浴室システムであって、
前記吸気口および前記送風口は、前記浴槽エプロン部の長手方向の両端部または両端部近傍に設けられている、浴室システム。
【請求項３】
請求項１または２に記載の浴室システムであって、
前記送風口は、前記洗い場領域に設けられているカウンタの下部または下方への送風が可能に設けられている、浴室システム。
【請求項４】
請求項１ないし３のいずれかに記載の浴室システムであって、
前記送風口は、前記ファンの吐出口における空気流れの流速よりも速い流速で前記洗い場領域に向けて空気を噴出可能とする空気噴出ノズルを用いて構成されている、浴室システム。
【請求項５】
請求項１ないし４のいずれかに記載の浴室システムであって、
前記洗い場領域から前記吸気口に流入した空気は、第１のダクトを介して、または直接的に前記ファンに吸引され、
前記ファンから吐出される空気は、第２のダクトを介して、または直接的に前記送風口に供給されるように構成されている、浴室システム。
【請求項６】
請求項１ないし５のいずれかに記載の浴室システムであって、
浴室の上部に設置された換気扇装置を備えており、
この換気扇装置と前記送風システムとの運転は、連動して行なわれるように構成されている、浴室システム。
【請求項７】
請求項６に記載の浴室システムであって、
前記送風システムの運転は、前記換気扇装置の運転中に断続的に行なわれ、および／または前記換気扇装置の運転に遅れて開始し、もしくは前記換気扇装置の運転終了よりも先に終了することにより、前記換気扇装置よりも短い運転時間となるように構成されている、浴室システム。
【発明の詳細な説明】
【技術分野】
【０００１】
本発明は、ユニットバスなどの浴室システムに関する。
【背景技術】
【０００２】
浴室にカビなどが繁殖することを防止し、浴室を衛生的な状態に維持するには、入浴終了直後などの湿気が多い状態を効率良く早期に解消させることが望まれる。そのための一般的な手段として、浴室の天井部に換気扇装置が設置され、この換気扇装置を利用した浴室の換気が可能とされている（たとえば、特許文献１，２など）。
【０００３】
しかしながら、前記従来技術においては、次に述べるように、未だ改善すべき余地があった。
【０００４】
すなわち、換気扇装置を作動させて浴室の換気を行なう場合には、たとえば浴室扉に設けられた通気孔を通過して浴室の外部空気が浴室内に流れ込み、かつその後浴室内においては、前記空気が換気扇装置に向けて進行していく。このため、浴室のうち、前記したような空気の進行経路から比較的離れた箇所においては、換気による水分の除去が余り促進されず、比較的長時間にわたって水分が残存したままになり易い。とくに、洗い場領域に設置されたカウンタの下部または下方などの領域には、換気による空気流れが作用し難く、多くの水分が残存し、カビなどが一層発生し易い。
【０００５】
このような不具合は、たとえば特許文献３に記載されているように温風送風機能を備えた浴室乾燥装置を用いることにより、解消または緩和することは可能であるものの、浴室乾燥装置は比較的高価である。また、仮に、浴室乾燥装置を設置した場合であっても、浴室乾燥装置から送風される温風は、浴室全体に均一には作用し難く、たとえば洗い場領域のカウンタの下部または下方には作用し難い。したがって、浴室乾燥装置を用いるような場合であっても、浴室の一部は、他の部分と比較して乾燥し難い箇所が生じ、浴室乾燥装置を長い時間にわたって運転させる必要が生じるなどの不具合を生じる。
【先行技術文献】
【特許文献】
【０００６】
【特許文献１】特開２００４−５７５６９号公報
【特許文献２】特開２００９−３０８３６号公報
【特許文献３】特開平０５−２０３３５９号公報
【発明の概要】
【発明が解決しようとする課題】
【０００７】
本発明は、前記したような事情のもとで考え出されたものであり、浴室の上部に設置された換気扇装置を用いるだけでは、早期に乾燥させることが困難とされていた領域の乾燥を効率良く行ない、カビなどの発生を適切に防止または抑制することが可能な浴室システムを提供することを、その課題としている。
【課題を解決するための手段】
【０００８】
上記の課題を解決するため、本発明では、次の技術的手段を講じている。
【０００９】
本発明により提供される浴室システムは、浴槽設置領域、洗い場領域、およびこれらの境界壁部としての浴槽エプロン部を備えている、浴室システムであって、前記浴槽設置領域に設置されたファン、ならびにこのファンを利用した吸気および送風を可能とする吸気
口および送風口を有する送風システムを、さらに備えており、前記吸気口および前記送風口は、水平方向において互いに離間するようにして前記浴槽エプロン部に設けられており、前記洗い場領域の空気を前記吸気口から前記ファンに吸引させ、かつ前記送風口から前記洗い場領域への送風が可能な構成とされていることを特徴としている。
【００１０】
このような構成によれば、次のような効果が得られる。
第１に、洗い場領域には、この洗い場領域の空気が浴槽エプロン部に設けられた吸気口に吸引されつつ、この吸引された空気が吸気口とは水平方向に離間して浴槽エプロン部に別途設けられている送風口から洗い場領域に向けて送風されることによる空気流れ（略水平方向において循環する空気流れ、またはこれに近い空気流れ）を生じさせることができる。このような空気流れは、浴室の上部に設置された換気扇装置を作動させることによっては発生させることが困難な空気流れであり、洗い場領域のうち、高さが低い領域に対して効率のよい送風が可能である。このため、たとえば洗い場領域に設置されたカウンタの下部または下方など、換気扇装置を作動させるだけでは早期に乾燥させることが困難な箇所の乾燥を促進し、このような箇所にカビなどが発生することを効果的に防止または抑制し、浴室内を衛生に優れたものとする上で好ましいものとなる。
第２に、送風システムのファンは、浴槽設置領域に設置されており、かつ吸気口および送風口は、浴槽エプロン部に設けられているため、送風システムの前記各部が洗い場領域において大きく嵩張るような不具合を生じないようにすることが可能である。また、送風システムのファンを浴槽エプロン部によって覆い隠すことによって、洗い場領域から不体裁な状態で見えないようにすることも可能であり、浴室の美観を損なわないようにすることも可能である。
【００１１】
本発明において、好ましくは、前記吸気口および前記送風口は、前記浴槽エプロン部の長手方向の両端部または両端部近傍に設けられている。
【００１２】
このような構成によれば、浴室の洗い場領域の広い範囲において空気流れを生じさせることができ、洗い場領域の床や側壁などの広い範囲を早期に乾燥させる上で、一層好ましいものとなる。
【００１３】
本発明において、好ましくは、前記送風口は、前記洗い場領域に設けられているカウンタの下部または下方への送風が可能に設けられている。
【００１４】
このような構成によれば、従来において、カビなどが最も発生し易い領域の１つであったカウンタの下部または下方を効率よく乾燥させ、カビなどを発生し難くすることが可能である。
【００１５】
本発明において、好ましくは、前記送風口は、前記ファンの吐出口における空気流れの流速よりも速い流速で前記洗い場領域に向けて空気を噴出可能とする空気噴出ノズルを用いて構成されている。
【００１６】
このような構成によれば、空気噴出ノズルから高速で空気を噴出することができるために、浴室の洗い場領域を乾燥させる作用をより高めることが可能である。
【００１７】
本発明において、好ましくは、前記洗い場領域から前記吸気口に流入した空気は、第１のダクトを介して、または直接的に前記ファンに吸引され、前記ファンから吐出される空気は、第２のダクトを介して、または直接的に前記送風口に供給されるように構成されている。
【００１８】
このような構成によれば、洗い場領域から送風システムの吸気口に吸引された空気が、
浴槽設置領域に流入して浴槽設置領域の各所に拡散しないようにすることができる。したがって、洗い場領域の湿気を多く含んだ空気が浴槽設置領域内に流入・拡散して、浴槽設置領域にカビなどが発生し易くなるといった不具合も適切に回避することが可能である。
【００１９】
本発明において、好ましくは、浴室の上部に設置された換気扇装置を備えており、この換気扇装置と前記送風システムとの運転は、連動して行なわれるように構成されている。
ここで、前記換気扇装置は、一般的な換気扇に加え、換気扇機能を有する浴室乾燥装置なども含む概念である。
【００２０】
このような構成によれば、次のような効果が得られる。
すなわち、送風システムを作動させるだけでは浴室の換気はなされず、送風によって洗い場領域を乾燥させるには一定の限度がある。これに対し、換気扇装置との連動を図れば、送風システムの作動による送風作用と、換気扇装置の作動による換気作用との相乗効果によって、浴室を効率よく乾燥させることができる。また、ユーザが換気扇装置と送風システムとを別々に運転させるような煩わしさもなくすことができ、ユーザにとって便利である。
【００２１】
本発明において、好ましくは、前記送風システムの運転は、前記換気扇装置の運転中に断続的に行なわれ、および／または前記換気扇装置の運転に遅れて開始し、もしくは前記換気扇装置の運転終了よりも先に終了することにより、前記換気扇装置よりも短い運転時間となるように構成されている。
【００２２】
このような構成によれば、たとえば換気扇装置と送風システムとの同時運転を可能にしつつ、送風システムの運転時間を短縮し、省エネを図ることが可能である。
【００２３】
本発明のその他の特徴および利点は、添付図面を参照して以下に行なう発明の実施の形態の説明から、より明らかになるであろう。
【図面の簡単な説明】
【００２４】
【図１】本発明に係る浴室システムの一例を示す要部概略斜視図である。
【図２】図１に示す浴室システムに具備された送風システムの概略構成を示す一部断面説明図である。
【図３】（ａ），（ｂ）は、換気扇装置と浴室システムとを連動運転させる場合の一例を示すタイムチャートである。
【図４】（ａ），（ｂ）は、換気扇装置と浴室システムとを連動運転させる場合の他の例を示すタイムチャートである。
【図５】（ａ），（ｂ）は、換気扇装置と浴室システムとを連動運転させる場合の他の例を示すタイムチャートである。
【図６】（ａ），（ｂ）は、換気扇装置と浴室システムとを連動運転させる場合の他の例を示すタイムチャートである。
【図７】（ａ），（ｂ）は、換気扇装置と浴室システムとを連動運転させる場合の他の例を示すタイムチャートである。
【図８】本発明の他の例を示す要部概略斜視図である。
【発明を実施するための形態】
【００２５】
以下、本発明の好ましい実施の形態について、図面を参照して具体的に説明する。
【００２６】
図１示す浴室システムＢＳは、たとえばユニットバスとして構成されており、浴室１は、床パネル２０、床パネル２０の周囲から起立した複数の側壁２１（手前側の一部の側壁は図示略）、天井パネル２２、および浴室扉２３を利用して構成されている。浴室１内に
は、浴槽３が設置された浴槽設置領域１ａ（浴槽３の上方領域は含まない）、洗い場領域１ｂ、およびこれらの境界壁部としての浴槽エプロン部３０が設けられており、洗い場領域１ｂにはカウンタ２４が設けられ、天井パネル２２には、浴室１内の空気を排気口４０を介して屋外に排気させることが可能な換気扇装置４が設置されている。
【００２７】
浴室システムＢＳは、送風システムＡをさらに備えている。この送風システムＡは、浴槽設置領域１ａに設置されたファン５（図１においては、簡略化して示している）、ならびに浴槽エプロン部３０の長手方向両端部またはその近傍に位置して洗い場領域１ｂ側を向くように設けられた吸気口６０および送風口７０を備えている。
【００２８】
ファン５は、たとえばシロッコファンあるいはクロスフローファンなどであり、図２に示すように、吸気口５０および吐出口５１を有するケーシング５２内に、モータＭによって駆動回転される羽根車５３が配された構成である（図２では、シロッコファンを示している）。なお、ファン５の具体的な種類や構成は、これに限定されず、様々な種類のファンを用いることが可能である。ファン５は、たとえば浴室１の側壁２１のうち、浴槽設置領域１ａに相当する箇所に、たとえばビス止め手段、あるいは適当な掛止手段などを用いて固定状態に取り付けられている。
【００２９】
吸気口６０は、浴槽エプロン部３０に前面開口状のハウジング部材６を取り付けることによって構成されており、このハウジング部材６の前面開口部分が吸気口６０である。ハウジング部材６の後部には、ファン５の吸気口５０に第１のダクト８ａを介して接続される配管接続用の開口部６１が形成されており、吸気口６０にはファン５の吸引負圧が作用するように構成されている。第１のダクト８ａは、たとえば可撓性を有するホースであるが、これに限定されず、たとえば硬質の非可撓性の管体などを用いてもよく、この点については、後述する第２のダクト８ｂも同様である。ハウジング部材６には、洗い場領域１ｂから飛散してきた湯水が開口部６１に進入することを阻止するための前下がり傾斜状の複数の防水板部６２が設けられている。ハウジング部材６の前面部の下部６３は、前下がり状に形成されており、防水板部６２の隙間を通過してきた湯水を、矢印Ｎａで示すように、洗い場領域１ｂに戻すことが可能とされている。
【００３０】
送風口７０は、本実施形態では、送風用ヘッド７を用いて構成されており、この送風用ヘッド７に設けられている複数の空気噴出ノズル７１のそれぞれの開口部分が、送風口７０である。送風用ヘッド７は、内部空洞状であって、その前壁部に複数の空気噴出ノズル７１が上下高さ方向に適当な配列ピッチで並べられ、かつ水平方向に１列または複数列で設けられた構成である。送風用ヘッド７には、ファン５の吐出口５１に第２のダクト８ｂを介して接続される配管接続用の開口部７２が設けられている。このため、ファン５の吐出口５１から吐出される空気は、第２のダクト８ｂを介して送風用ヘッド７内に流入し、送風口７０としての各空気噴出ノズル７１の開口部分から洗い場領域１ｂに噴出（送風）される。空気噴出ノズル７１は、空気流路を絞るため、吐出口５１における空気の流速Ｖａよりも、空気噴出ノズル７１から噴出する空気の流速Ｖｂの方が高速である。
【００３１】
図１において、好ましくは、吸気口６０の正面には、浴室扉２３が位置し、かつこの浴室扉２３の下部には、通気口２３ａが設けられている。このような構成によれば、送風システムＡを作動させた際に、浴室外部の空気を通気口２３ａから洗い場領域１ｂに流入させて吸気口６０に積極的に流入させることが可能である。一方、送風口７０は、カウンタ２４に接近した配置にあり、かつカウンタ２４の下部または下方に向けての送風（空気噴出）が可能に設けられている。
【００３２】
次に、前記した浴室システムＢＳの作用について説明する。
なお、送風システムＡと換気扇装置４との運転は、連動するように設定されているが、
その具体的な内容については、後述する。
【００３３】
まず、ファン５を駆動させ、送風口７０から洗い場領域１ｂに送風を行なわせると、たとえば図１の矢印Ｎ１〜Ｎ４で示すような経路、またはこれに近い経路の空気流れを生じさせることができる。この空気流れにおいては、洗い場領域１ｂの高さが低い領域において、送風口７０から送出された空気が、洗い場領域１ｂを囲む側壁２１の下部や洗い場領域１ｂの床面に沿って略水平方向に流れる。したがって、洗い場領域１ｂを囲む側壁２１の下部や洗い場領域１ｂの床面が濡れている場合に、これらの水分の蒸発を促進し、積極的に乾燥させる効果が得られる。
【００３４】
前記した矢印Ｎ１〜Ｎ４の空気流れは、換気扇装置４を運転させたとしても得られない空気流れであり、換気扇装置４を運転させただけでは適切に乾燥させることが困難な箇所を、送風システムＡの運転によって乾燥させることが可能である。とくに、送風口７０はカウンタ２４に接近した配置とされており、矢印Ｎ１で示すように、カウンタ２４の下部または下方に対し、多くの空気を勢いよく噴出させることができるため、カウンタ２４の下部または下方を早期に乾燥させることが可能である。また、送風システムＡを運転している際には、浴室扉２３の通気口２３ａを通過した浴室外部の空気（湿気が少ない空気）を洗い場領域１ｂに取り込んで循環させることもできるため、浴室１内を早期に乾燥させる上で、より好ましいものとなる。
【００３５】
洗い場領域１ｂの空気は、吸気口６０から第１のダクト８ａを介してファン５に吸引され、かつこのファン５から吐出される空気は、第２のダクト８ｂを介して送風口７０に到るため、洗い場領域１ｂの湿気を多く含んだ空気が浴槽設置領域１ａ内に流入して拡散することはない。したがって、浴槽設置領域１ａ内が多くの湿気を帯びてカビが発生し易くなるといったことも生じないようにすることが可能である。
【００３６】
送風システムＡは、ファン５が浴槽設置領域１ａに設置され、かつ吸気口６０および送風口７０が浴槽エプロン部３０に設けられた構成である。このため、送風システムＡが洗い場領域１ｂにおいて大きく不体裁な状態で嵩張るようなことはなく、洗い場領域１ｂの広さを確保しつつ、浴室１内の見栄えも良好なものとすることが可能である。
【００３７】
図３〜図７は、換気扇装置４と送風システムＡとの運転を連動させる場合の具体例を示している。
【００３８】
図３においては、換気扇装置４と送風システムＡとは同一の時刻ｔａに運転を開始し、かつ同一の時刻ｔｂに運転が終了するように構成されている。本実施形態では、換気扇装置４および送風システムＡの運転をオン・オフするためのスイッチ（不図示）が共通化されており、このスイッチをユーザが操作することによって、換気扇装置４および送風システムＡは、同時にオン・オフするようになっている。
【００３９】
換気扇装置４を運転させることなく、送風システムＡを運転させるだけでは、浴室１を乾燥させる上で限度があり、送風システムＡを運転させる際に、換気扇装置４をも運転させれば、浴室１を早期に乾燥させる上で効率がよい。図３の例では、このようなことが適切に実現可能である。また、図３の構成によれば、ユーザが換気扇装置４および送風システムＡの双方を運転させようと思いながらも、過誤などによって一方の運転がなされなくなるといったことも適切に防止される。このような利点は、後述する他の図４〜図７に示す例においても、同様に得られる。
【００４０】
図４においては、換気扇装置４の運転終了時刻ｔｂよりも所定の時間Ｔ１だけ早い時刻ｔｃに送風システムＡの運転が終了するように構成されている。このような構成は、換気
扇装置４の運転終了時刻ｔｂがタイマ設定されている場合において、この時刻ｔｂが到来する前に送風システムＡの運転を終了させる場合、あるいは換気扇装置４および送風システムＡの運転を終了するためのスイッチ操作がなされた場合に、先に送風システムＡの運転を停止させ、かつその後に所定の時間Ｔ１が経過した時点で換気扇装置４の運転を停止させるといった場合が該当する。
このような構成によれば、送風システムＡの運転時間を短くできるため、ランニングコストを低減することが可能である。また、送風システムＡの運転そのものは、浴室１内を換気させるものではないため、送風システムＡの運転を終了した後に、換気扇装置４を単独で運転させることは、浴室１内を換気作用によって乾燥させる上で合理的である。
【００４１】
図５においては、換気扇装置４の運転開始時刻ｔａから所定の時間Ｔ２だけ遅れた時刻ｔｄに送風システムＡの運転が開始されるように構成されている。このような構成も、タイマを用いて実現可能である。
【００４２】
図６においては、換気扇装置４が連続運転している期間中に、送風システムＡは、所定時間Ｔ３，Ｔ４をそれぞれ運転のオン・オフ時間とする断続運転（間欠運転）とされるように構成されている。
【００４３】
図７においては、換気扇装置４が所定時間Ｔ５，Ｔ６で運転オン・オフされる断続運転とされ、かつ送風システムＡは、換気扇装置４の運転オフ時に運転オンとされる断続運転がなされるように構成されている。
【００４４】
図５〜図７のいずれの構成においても、送風システムＡの運転時間の短縮化を図り、ランニングコストを低減することが可能である。
図３〜図７の示す動作例は、換気扇装置４と送風システムＡとの運転を連動させる場合の具体例であり、本発明においては、前記以外の動作制御態様を採用してもよいことは勿論である。
【００４５】
図８は、本発明の他の例を示している。同図において、前記実施形態と同一または類似の要素には、前記実施形態と同一の符号を付すこととし、重複説明は省略する。
【００４６】
図８に示す実施形態においては、送風システムＡを構成するファン５、吸気口６０を構成するハウジング部材６、および送風口７０を有する送風用ヘッド７が、浴槽設置領域１ａの床面、あるいは側壁などに設置されている。一方、浴槽エプロン部３０は、吸気口６０や送風口７０を洗い場領域１ｂ側に露出させるための切欠き部３０ａ、または非切欠き状の開口部（図示略）を有しており、ハウジング部材６や送風用ヘッド７などは、浴槽エプロン部３０に対して直接的には取り付けられていない。
このような構成であっても、本発明が意図する作用を得ることが可能であり、本発明は、このような構成を採用することも可能である。送風システムの構成部材は、必ずしも浴槽エプロン部３０に直接的に取り付けられていなくてもよい。
【００４７】
本発明は、上述した実施形態の内容に限定されない。本発明に係る浴室システムの各部の具体的な構成は、本発明の意図する範囲内において種々に設計変更自在である。
【００４８】
上述の実施形態においては、吸気口６０および送風口７０とファン５とを、第１および第２のダクト８ａ，８ｂを用いて接続しているが、たとえばファン５を送風口７０に接近させて設けた場合には、第２のダクト８ｂを用いることなく、ファン５の吐出口５１をそのまま直接的に送風口７０に連通させた構成（ファン５の吐出口５１がそのまま送風口７０に相当する構成、またはこれに近い構成）とすることも可能である。同様に、ファン５を吸気口６０に接近させて設けた場合には、第１のダクト８ａを用いることなく、ファン
５自体の吸気口５０を、吸気口６０に直接的に連通させた構成（吸気口５０がそのまま吸気口６０に相当する構成、またはこれに近い構成）とすることも可能である。本発明でいうダクト（第１および第２のダクト）は、チューブ状の配管部材に限らず、たとえば浴槽エプロン部に空気流通用の孔部を設けるなどして構成することも可能である。
【００４９】
送風システムの吸気口および送風口は、浴槽エプロン部の両端部またはその近傍に設けることが好ましいものの、やはりこれに限定されない。本発明において、吸気口および送風口は、少なくとも水平方向において互いに離間するようにして浴槽エプロン部に設けられていればよい。
吸気口は、必ずしも前記したハウジング部材６またはこれに類する部材を用いて設けられていなくてもよい。同様に、送風口は、送風用ヘッド７またはこれに類する部材を用いて設けられていなくてもよく、空気噴出ノズルに相当する部位を有しない構成とすることもできる。送風口７０に送風方向を変更可能とするルーバを設けるといったことも可能である。
【００５０】
既述したとおり、ファンの具体的な種類などは限定されない。
本発明でいう送風システムにおいては、送風口から洗い場領域に送風される空気を加熱するためのヒータ，あるいは除湿を行なうための除湿器（除湿剤）をさらに備えていることにより、洗い場領域に温風を送風可能とし、あるいは乾燥した空気の送風を可能とすることも可能である。
本発明に係る浴室システムの構成は、ユニットバス以外の浴室にも適用することが可能である。
【符号の説明】
【００５１】
Ａ  送風システム
ＢＳ  浴室システム
１  浴室
１ａ  浴槽設置領域
１ｂ  洗い場領域
２４  カウンタ
３０  浴槽エプロン部
４  換気扇装置
５  ファン
６０  吸気口
７０  送風口
７１  空気噴出ノズル
８ａ，８ｂ  第１および第２のダクト
【図１】
2018102573.tif 000003
【図２】
2018102573.tif 000004
【図３】
2018102573.tif 000005
【図４】
2018102573.tif 000006
【図５】
2018102573.tif 000007
【図６】
2018102573.tif 000008
【図７】
2018102573.tif 000009
【図８】
2018102573.tif 000010